(57)【特許請求の範囲】
【請求項１】
便器と洗浄便座装置の排便行為中の臭気対策において、
洗浄便座装置からの電気制御により、便器で排便行為中にトイレ室内を加圧ファンで加圧してボウル内を加圧することのみで、排便中の臭気を便器の洗浄水放出口または排気専用口を通じて屋外へ放出排気することが可能な機構を有する洗浄便座装置付き便器。
【請求項２】
前記洗浄便座装置の噴射ノズル（１６）について、男性の陰部を洗浄可能な噴射ノズル（１６）は便座の手前側中央に独立して備え、陰部の洗浄から水滴飛ばしまで行なえることを特徴とし、
噴射ノズル（１６）のミスト水や空気を噴射するための水系統と空気系統には、それぞれ量調整機能付開閉弁を備えていて前記量調整機能付開閉弁から噴射ノズル（１６）の間は便座の内部に組み込まれた細いチューブを通じて噴射ノズル（１６）に接合されていることを特徴とする請求項１に記載の洗浄便座装置付き便器。
【請求項３】
前記洗浄便座装置の洗浄噴射ノズル（１５）について、
可動式の洗浄噴射ノズル（１５）は便座の後方側中央に備え、排便部の洗浄から水滴飛ばしまで行なえて、洗浄噴射ノズル（１５）のミスト水や空気を噴射するための水系統と空気系統には、それぞれ量調整機能付開閉弁を備えていることを特徴とする請求項２に記載の洗浄便座装置付き便器。
【発明の詳細な説明】
【技術分野】
【０００１】  本発明は、排便行為中、臭気を屋外へ放出排気が可能な便器とトイレットペーパーが要らない洗浄便座装置に関する。
【背景技術】
【０００２】  近年、洋式便器と洗浄便座装置との組み合わせで飛躍的に衛生面や快適性が向上したと言える。
洗浄便座装置には脱臭機能としてイオンや活性炭また脱臭触媒カートリッジを使用するなど、また、排便局部洗浄後にトイレットペーパーの要らない温風乾燥機能を採用した最新の洗浄便座装置も多く販売されている。
しかし、未だに解決していないのが経済的で環境に優しく効果的な脱臭方式や、また、トイレットペーパーが要らない方式の便器と洗浄便座装置がないことである。【０００３】  ところで、排便行為中の脱臭方法としては、いろいろな方式（例えば、特許文献１、２参照。）等が公知となっている。
【特許文献１】特開２００５−０２１１８８号公報
【特許文献２】実開平０６−０６０６７７号公報
【発明の開示】
【発明が解決しようとする課題】
【０００４】  しかしながら、上記特許文献１また２の脱臭方式は、脱臭後の空気がトイレ室内に直接戻され循環するので活性炭カートリッジ等の脱臭効果が低下すれば臭気が漂うことになることから脱臭機能の維持管理を含め弱点がある。
また、排便局部洗浄行為後にトイレットペーパーの要らない温風乾燥機能を搭載した洗浄便座装置もあるが、乾燥に時間がかかり、せっかく温風乾燥機能を搭載していても使用しない人が多いとの報告がある。【０００５】  本発明の目的は、上記事情に鑑み排便行為中に臭気が臭わない便器の提供と、また、排便局部洗浄行為後にトイレットペーパーの要らない洗浄便座装置の提供にある。
【課題を解決するための手段】
【０００６】上記目的を達成するため本発明は、以下の技術的手段を講じた。【０００７】
第１に、便器と洗浄便座装置の排便行為中の臭気対策において、
洗浄便座装置からの電気制御により、便器で排便行為中にトイレ室内を加圧ファンで加圧してボウル内を加圧することのみで、排便中の臭気を便器の洗浄水放出口または排気専用口を通じて屋外へ放出排気することが可能な機構を有する洗浄便座装置付き便器とした。
【０００８】
第２に、前記洗浄便座装置の噴射ノズル（１６）について、男性の陰部を洗浄可能な噴射ノズル（１６）は便座の手前側中央に独立して備え、陰部の洗浄から水滴飛ばしまで行なえることを特徴とし、
噴射ノズル（１６）のミスト水や空気を噴射するための水系統と空気系統には、それぞれ量調整機能付開閉弁を備えていて前記量調整機能付開閉弁から噴射ノズル（１６）の間は便座の内部に組み込まれた細いチューブを通じて噴射ノズル（１６）に接合されている洗浄便座装置付き便器とした。
【０００９】
第３に、前記洗浄便座装置の洗浄噴射ノズル（１５）について、
可動式の洗浄噴射ノズル（１５）は便座の後方側中央に備え、排便部の洗浄から水滴飛ばしまで行なえて、洗浄噴射ノズル（１５）のミスト水や空気を噴射するための水系統と空気系統には、それぞれ量調整機能付開閉弁を備えている洗浄便座装置付き便器とした。
【００１０】
このように、排便行為中の臭気対策としてトイレ室内を加圧してボウル内を加圧することのみで、排便中の臭気を便器の洗浄水放出口または排気専用口を通じて屋外へ放出排気する加圧ファン方式の方が負圧吸引方式に比べファンの故障が少なくできメンテナンスも容易となる。
それは、負圧吸引方式のファンは臭気と高い湿気を吸い込むのに対し加圧ファン方式であれば天井裏または廊下側の一般空気を吸い込むので故障が大幅に低減できるのである。
【発明の効果】
【００１１】
本発明に係わる、上記技術的手段の第１から第３の洗浄便座装置付き便器により、排便行為中に臭気が臭うことがなく、男性の陰部また排便局部やビデ局部をミスト水で洗い洗浄から水滴飛ばしまで行なるので排便排尿洗浄行為後にトイレットペーパーが必要なくなるのである。
【００１２】  それは、排便行為中に、ボウル内の臭気を負圧吸引または室内加圧により便器の洗浄水放出口から屋外へ放出排気することが可能な機構を有する便器にしたことと、また、水と空気が混ざったミスト水を洗浄噴射ノズルから噴射し排便局部洗浄後に加圧空気で排便局部の水滴を飛ばすことができるからである。
更に、ミスト水による洗浄は、高い洗浄効果が得られ節水にも結び付くし、排便局部の刺激も少なく快適で効果的な洗浄が得られる。
応用事例として、ミスト水による洗浄は高い洗浄性と節水効果を得られることが実証されており、既に、米国のラスベガス地区のホテルでは浴室のシャワーに採用されている。【００１３】  このような洗浄便座装置を使用すればトイレットペーパーの使用は排除できるので、下水道の処理負荷が軽減でき、また、古紙類の用途先の見直しを含め地球に優しい洗浄便座装置が提供できる。【００１４】
次に、上記技術的手段の第１の洗浄便座装置付き便器は、排便行為中にトイレ室内を加圧ファンで加圧してボウル内を加圧することのみで、排便中の臭気を便器の洗浄水放出口または排気専用口を通じて屋外へ放出排気することが可能な機構を有する便器となっているので、臭気の流れは一方通行の流れを示し臭気が漂うこともなく快適な排便行為が実現できるのである。
【発明を実施するための最良の形態】
【００１５】  以下、本発明の実施形態に基づいて図面を参照し詳細に説明する。
図１は、本発明の実施形態の全体図で、便器と洗浄便座装置の全体の姿の概略図である。この便器と洗浄便座装置の図１では、洗浄便座装置１、便器２、便座１０、洗浄噴射ノズル１５、噴射ノズル１６、洗浄水放出口２０、排気ダクト２１、水タンク２５、オーバーフロー管２６、水栓２７、鎖２８、レバー２９を図示している。【００１６】  図２は、本発明の第一実施形態で、洗浄便座装置に内蔵される大便用とビデ用の洗浄噴射ノズルと男性の陰部用の噴射ノズルに接続している水系統と空気系統の概略図である。
図２の（ａ）（ｂ）（ｃ）に示すように、大便用とビデ用の洗浄噴射ノズル１５には量調整機能付開閉弁７１を通過した水と、また、量調整機能付開閉弁８１を通過した空気とが混合部４１で混合され、ミスト水はホース８５を通じて洗浄噴射ノズル１５に供給噴射される。
また、排便局部洗浄後は量調整機能付開閉弁７１を閉止して空気のみが洗浄噴射ノズル１５に供給噴射される機構となっている。
次に、排便局部洗浄後の前記洗浄噴射ノズル１５には排便局部の水滴を飛ばすことができる加圧空気が量調整機能付開閉弁８２とホース８９を通じて供給噴射できる機構となっている。【００１７】  更に、便座１０には男性の陰部用の噴射ノズル１６が取り付けられており、水と空気が流れるようになっていて、量調整機能付開閉弁７６を通過した水と、また、量調整機能付開閉弁８６を通過した空気とが混合部４６で混合されミスト水としてチューブ１７を通り噴射ノズル１６に供給噴射される。そして、洗浄後は空気のみが噴射ノズル１６から供給噴射し水滴を飛ばすことができる機構となっている。
以上、洗浄噴射ノズル１５と噴射ノズル１６の機構を備えた洗浄便座装置１とすることで、排便局部洗浄行為後にトイレットペーパーが必要なくなるのである。【００１８】  図２の（ｂ）（ｃ）では、洗浄噴射ノズル１５からのミスト水の噴射方向と加圧空気の噴射方向を図示している。
特に、水滴を飛ばす加圧空気の噴射ノズル位置５５はミスト水の噴射ノズル位置５１より上方に位置し、効果的に水滴を飛ばし乾燥する噴射位置と噴射角度と方向を示している。
尚、図２では、供給噴射する水と空気の温度調整ヒーター部位は省略している。【００１９】  図３は、本発明の第二実施形態で、排便行為中の臭気を負圧吸引により屋外へ放出排気できる便器の概略図である。
図３に示すように、便器２の洗浄水放出口２０は二か所で渦巻きを利用し効果的にボウル内を洗浄する方式で、洗浄水放出口２０の一つひとつは大口径となっている。
この洗浄水放出口２０に臭気を吸い込ませて屋外へ放出排気するようになっている。【００２０】  図示にしたがって説明すると、
先ず、便座に座ると臭気排気ファン４０が稼働し負圧吸引を開始する。
排便行為中は、ボウル内の臭気を洗浄水放出口２０に吸い込ませ排気ダクト２１を通じ臭気排気ファン４０を通過し虫避け金網３０を経て屋外へ放出排気する臭気の流れを示している。
一方、水タンク２５のオーバーフロー管２６は洗浄水放出口２０と排気ダクト２１とも連通しているが、負圧吸引によってオーバーフロー管２６の入口から吸い込みが起こらぬように入口先端には水封機構が設けてある。
このように、排便行為中はボウル内の臭気を負圧吸引し屋外へ放出排気することが可能な機構を有する便器２となっているので、臭気の流れは一方通行を示し臭気が漂うこともなく快適な排便行為が実現できるのである。【００２１】  次に、ボウル内の排便を排出するためにレバー２９を操作すると鎖２８によって水栓２７が開放し、水タンク２５内の水が一気に洗浄水放出口２０から放出し排便洗浄開始から排水また給水までの排便洗浄工程が完了する。
前記排便洗浄工程を過ぎても一定時間、臭気排気ファン４０は稼働状態を保つが、その際も、水タンク２５内の水が排気ダクト２１を経て臭気排気ファン４０に吸い込まれることがないように水タンク２５内の最高水位より排気ダクト２１を立ち上げ、その先に臭気排気ファン４０を取り付けている。
また、臭気排気ファン４０の性能として、排気容量は大きいが負圧吸引力の弱いファンを選定しているので水が臭気排気ファン４０に吸い込まれることがないのである。【００２２】  このように、洗浄水放出口２０は臭気の吸引通路口として、また、洗浄水の放出通路口として共用している。
その為、洗浄水放出口２０の洗浄は毎回繰り返されているので常に清潔に維持されている。【００２３】  図４は、本発明の第三実施形態で、排便行為中のトイレ室内を正圧にすることにより臭気を屋外へ放出排気できる便器の概略図である。
図４に示すように、この便器２は水タンク２５を有せず、数多くの洗浄水放出口６０が周囲に配列されていてボウル内を洗浄する方式で、洗浄水放出口６０の一つひとつは小口径となっている。
この洗浄水放出口６０に臭気を逆流させて屋外へ放出排気できる機構となっている。
更に、便器２には排気専用口６５を別に設け臭気を屋外へ連続排気できるようになっている。
このことによって、第二実施形態ではできなかった便器２の排便洗浄開始から排水また給水完了までの排便洗浄工程の間も臭気を屋外へ連続排気できるようにした。【００２４】  図示にしたがって説明すると、
先ず、気密保持できるトイレ室のドアーを閉めて便座１０に座ると加圧ファン９０が稼働しトイレ室内が加圧され正圧を保持する。
排便行為中は、ボウル内の臭気は洗浄水放出口６０から排気ダクト２１を通り虫避け金網３０を経て屋外へ放出排気する臭気の流れを示している。
また、臭気は排気専用口６５にも流れ込み排気ダクト６１を通じて屋外へ連続排気される。【００２５】  次に、排気ダクト２１は立ち上がっていて、前記排気ダクト２１の屋外放出部の近傍に排気専用口６５からの排気ダクト６１が接合し、両方の排気ダクト２１と排気ダクト６１が一本に集合してから外壁を貫通している。
以上、図示にしたがって説明した技術内容以外は、前記第二実施形態と略同様で同機能であり詳細は省略する。【００２６】  尚、本発明の実施形態に限らず、以下のような変更が可能である。
本発明の図２の第一実施形態では、水滴を飛ばす加圧空気の噴射ノズル位置５５はミスト水の噴射ノズル位置５１より上方に位置し、効果的に水滴を飛ばし乾燥する噴射位置と噴射角度と方向としたが、
別方式の、洗浄噴射ノズル１５を前後させ位置調整する方式の採用で加圧空気の噴射ノズル位置５５とミスト水を噴射ノズル位置５１を集合し統合する手段を講ずれば、加圧空気系統の量調整機能付開閉弁８２をなくしてもよい。【００２７】  また、既存の洗浄便座装置には一本の洗浄ノズルに大便専用の水路とビデ専用の水路を別々に内蔵した方式もあるが、前記水路にミスト水また加圧空気を噴射する洗浄噴射ノズルを採用してもよく、組み合わせ方式に全く制限するものではない。【００２８】  次に、図３の第二実施形態の便器２には排気専用口６５を設けなかったが、図４の第三実施形態で設けた排気専用口６５と排気ダクト６１を設けてもよい。
また、便器２の洗浄水放出口２０には、渦巻きを利用し効果的にボウル内を洗浄する洗浄水放出口２０の方式や、また、数多くの洗浄水放出口６０が周囲に配列されていてボウル内を洗浄する洗浄水放出口６０の方式などがあるが、洗浄水放出口２０から臭気を吸い込ませる方式であればどのような便器２を採用してもよい。【００２９】  次に、本発明に係わる技術的手段を講じる洗浄便座装置１においては、加圧空気を使用するので空気コンプレッサーを設置している。
そこで、例えば、魚類水槽への注入空気として、または酸素富化空気を発生させる機器に接続するなど酸素富化空気を住宅内に取り込み利用することを行ってもよい。
【産業上の利用の可能性】
【００３０】  本発明に係わるミスト水による洗浄方法は、節水に関する種々の洗浄機器の洗浄方法の見直しと改善に利用し得る。
【図面の簡単な説明】
【００３１】
【図１】図１は、本発明の実施形態の全体図で、便器と洗浄便座装置の全体の姿の概略図である。
【図２】図２は、本発明の第一実施形態で、洗浄便座装置に内蔵される大便用とビデ用の洗浄噴射ノズルと男性の陰部用の噴射ノズルに接続している水系統と空気系統の概略図である。
【図３】図３は、本発明の第二実施形態で、排便行為中の臭気を負圧吸引により屋外へ放出排気できる便器の概略図である。
【図４】図４は、本発明の第三実施形態で、排便行為中のトイレ室内を正圧にすることにより臭気を屋外へ放出排気できる便器の概略図である。
【符号の説明】
【００３２】  １・・・・・洗浄便座装置
２・・・・・便器
１０・・・・便座
１５・・・・洗浄噴射ノズル
１６・・・・噴射ノズル
２０、６０・・洗浄水放出口
２１、６１・・排気ダクト
２５・・・・水タンク
２６・・・・オーバーフロー管
２７・・・・水栓
２９・・・・レバー
４０・・・・臭気排気ファン
７１、７６、８１、８２、８６・・量調整機能付開閉弁
９０・・・・加圧ファン
【図１】
0005120825.tif 000002
【図２】
0005120825.tif 000003
【図３】
0005120825.tif 000004
【図４】
0005120825.tif 000005